(57)【要約】【課題】暗記用カードを利用する利用者の利便性が低い、ことを解決すること。【解決手段】カードホルダは、四角形状の底板と、当該底板の一対の対向する各辺にそれぞれ立設する各側壁と、当該各側壁の上端から上記底板に対して平行にそれぞれ突出して上記各側壁付近に位置する上記底板の上方を覆う各枠板と、を備える。そして、上記各側壁の両端側に、上記底板と上記各側壁と上記各枠板とによって囲まれた空間にカードを挿抜可能な挿抜用開口部をそれぞれ形成し、一方の上記挿抜用開口部に、上記底板と上記各枠板との間を上記底板と平行に複数に仕切る仕切り板を備えた、という構成を採る。【選択図】図１
2011067959.tif 000002
【特許請求の範囲】
【請求項１】
四角形状の底板と、当該底板の一対の対向する各辺にそれぞれ立設する各側壁と、当該各側壁の上端から前記底板に対して平行にそれぞれ突出して前記各側壁付近に位置する前記底板の上方を覆う各枠板と、を備え、
前記各側壁の両端側に、前記底板と前記各側壁と前記各枠板とによって囲まれた空間にカードを挿抜可能な挿抜用開口部をそれぞれ形成し、
一方の前記挿抜用開口部に、前記底板と前記各枠板との間を前記底板と平行に複数に仕切る仕切り板を備えた、
カードホルダ。
【請求項２】
請求項１に記載のカードホルダであって、
前記仕切り板を複数備えると共に、前記一方の挿抜用開口部の開口端側に位置する前記各仕切り板の各端部は、当該各仕切り板自体が前記枠板側に位置するにつれて前記一方の挿抜用開口部が位置する側の前記底板の端部から徐々に離間して位置する、
カードホルダ。
【請求項３】
請求項１又は２に記載のカードホルダであって、
前記底板に貫通孔を形成した、
カードホルダ。
【請求項４】
請求項３に記載のカードホルダであって、
前記貫通孔を、前記仕切り板の真下の位置よりも前記一方の挿抜用開口部側とは反対側にずれた位置に形成した、
カードホルダ。
【請求項５】
請求項４に記載のカードホルダであって、
他方の前記挿抜用開口部に、前記底板から上方に向かって突出すると共にその突出端と前記各枠板との間に開口部が形成された突出壁を備え、
前記底板の前記他方の挿抜用開口部付近に他の貫通孔を形成した、
カードホルダ。
【請求項６】
請求項５に記載のカードホルダであって、
前記突出壁を、前記各仕切り板の各高さに対応した各平面を有し、前記他方の挿抜用開口部側に向かうにつれて段々と高くなる階段状に形成した、
カードホルダ。
【発明の詳細な説明】
【技術分野】
【０００１】
本発明は、カードホルダにかかり、特に、暗記用カードを収容するカードホルダに関する。
【背景技術】
【０００２】
英単語や漢字、歴史年表、化学式、数学公式などを暗記する方法として、カードの表裏にそれぞれ問題と解答を記載した暗記用カードを利用する方法がある。例えば、英単語の暗記を行う場合には、暗記用カードの表に「英単語」を記載し、裏に「日本語訳」を記載する。そして、暗記用カードの表の「英単語」を見て、その日本語訳を思い浮かべてからカードの裏を見て答え合わせを行ったり、逆に、暗記用カードの裏の「日本語訳」を見て、その英単語を思い浮かべてからカードの表を見て答え合わせを行うなどして利用する。このとき、多数の暗記用カードをめくりやすく保持する方法として、暗記用カードの端に穴をあけ、この穴にリングを通して保持する方法が一般的である。
【０００３】
また、異なる方式の暗記用カードの一例が、特許文献１に開示されている。この文献に記載の暗記用カードは、同一面に「問題」と「解答」を記載しており、当該暗記用カードを収容するカードホルダは、「問題」を視認可能なよう露出しつつ、「解答」を隠す構成を採っている。つまり、特許文献１の図１，２に示すように、略Ｌ字状であり、暗記用カードの表裏面の一部を覆う壁部が形成されている。これにより、カードホルダに暗記用カードを収容すると、当該暗記用カードの一辺付近に記載された「解答」が壁部にて隠された状態で「問題」を見ることができる。
【先行技術文献】
【特許文献】
【０００４】
【特許文献１】特開２００５−３５１７９号公報
【発明の概要】
【発明が解決しようとする課題】
【０００５】
しかしながら、上述した暗記用カードの利用方法では、所定の順番で暗記用カードが重ねられているため、利用者はその順番でカードをめくる必要がある。すると、暗記用カードを何度かめくっていくうちに利用者は問題を覚えるようになるが、それ以降も順番通りにカードをめくる必要があるため、すでに暗記したカードもたびたび出現し、当該カードをめくる必要がある。つまり、もはや暗記が不要なカードが生じた場合であっても、かかるカードをめくるという手間が生じうる。一方で、なかなか覚えにくい問題は、何度もめくって覚える必要があるが、一定の順番で並んでいるため、出現頻度を増減させることができず、理解や暗記を効率よく行うことができない、という問題が生じる。
【０００６】
また、上記特許文献１に開示のカードホルダでは、任意の場所に暗記用カードを挿入することはできるものの、各カードに記載された問題に対する利用者の理解度合い・暗記度合いに応じた順番に並べることは困難である。従って、暗記用カードを利用する利用者の利便性が低い、という問題があった。
【０００７】
このため、本発明の目的は、上述した課題である、暗記用カードを利用する利用者の利便性が低い、ことを解決することができるカードホルダを提供することにある。
【課題を解決するための手段】
【０００８】
かかる目的を達成するため本発明の一形態であるカードホルダは、
四角形状の底板と、当該底板の一対の対向する各辺にそれぞれ立設する各側壁と、当該各側壁の上端から上記底板に対して平行にそれぞれ突出して上記各側壁付近に位置する上記底板の上方を覆う各枠板と、を備える。
そして、上記各側壁の両端側に、上記底板と上記各側壁と上記各枠板とによって囲まれた空間にカードを挿抜可能な挿抜用開口部をそれぞれ形成し、
一方の上記挿抜用開口部に、上記底板と上記各枠板との間を上記底板と平行に複数に仕切る仕切り板を備えることにより、多積層空間を形成する、
という構成を採る。
【発明の効果】
【０００９】
本発明は、以上のように構成されることにより、暗記カードを利用する利用者に当該暗記カードの出題頻度を柔軟に変更することができるという利便性の向上を図ることができる。
【図面の簡単な説明】
【００１０】
【図１】図１（Ａ）はカードホルダの上面図であり、図１（Ｂ）は図１（Ａ）のＡ−Ａ線断面図である。
【図２】図２（Ａ）はカードホルダの底面図であり、図２（Ｂ）はその断面図である。
【図３】図３（Ａ）は図１（Ａ）に示すカードホルダの左側面図であり、図３（Ｂ）は図１（Ａ）に示すカードホルダの右側面図である。
【図４】カードホルダにカードを挿入するとき、及び、カードを収容したときの様子を示す図であり、カードホルダを上方から見た図である。
【図５】カードホルダにカードを挿入するときの動作を示す図であり、カードホルダを側方から見た断面図である。
【図６】カードホルダからカードを抜き出すときの動作を示す図であり、カードホルダを側方から見た断面図である。
【図７】カードホルダにカードを挿入するときの動作を示す図であり、カードホルダを側方から見た断面図である。
【発明を実施するための形態】
【００１１】
＜実施形態１＞
本発明の第１の実施形態を、図１乃至図７を参照して説明する。図１乃至図３は、カードホルダの構成を示す図である。図４乃至図７は、カードホルダに対してカードを挿抜するときの動作を示す図である。
【００１２】
［構成］
初めに、図１乃至図３を参照して、カードホルダの構成を説明する。まず、図１（Ａ）は、カードホルダ１を上方から見た上面図であり、そのＡ−Ａ線断面図を図１（Ｂ）に示す。また、図２（Ａ）は、カードホルダ１を下方から見た底面図であり、図２（Ｂ）は、底面に位置する後述する底板２を取り除いたときの構成を示す断面図である。そして、図３（Ａ）は、図１（Ａ）に示すカードホルダ１を左側方から見た左側面図であり、図３（Ｂ）は、図１（Ａ）に示すカードホルダ１を右側方から見た右側面図である。
【００１３】
図１乃至図３に示すように、カードホルダ１は、長方形状の底板２と、対となる各長辺から上方つまり底板２に対して垂直方向に延びてそれぞれ立設された各側壁３，４と、を備えている。そして、各側壁３，４の各上端には、当該各側壁３，４の壁面に対して垂直つまり上記底板２と平行に、当該底板２の短辺方向の中心側に向かって突出した板部材である各枠板３１，４１を備えている。具体的に、各枠板３１，４１は、図３（Ａ），（Ｂ）に示すように、底板２の上方のうち、各長辺付近つまり各側壁３，４が形成された箇所付近のみを覆うよう、当該各側壁３，４から対向する他方の枠板に向かってわずかに突出している。例えば、本実施形態では、底板２の短辺の長さに対して、５分の１〜２０分の１程度の長さだけ突出している。従って、上記各枠板３１，４１の突出端の間は開口しているため、底板２のほぼ全面が視認できる状態となっている。
【００１４】
そして、カードホルダ１の短辺に沿った断面形状は、図３（Ｂ）を参照すると、底板２と各側壁３，４にて囲まれ上方が開口した略「Ｕ」字型に形成されており、上端の開口部分つまり各側壁３，４付近が、各枠板３１，４１にてわずかに覆われた形状となっている。そして、後述するように、底板２と各側壁３，４と各枠板３１，４１とに囲まれた空間（カード収容空間）には、カードＣを挿入して収容することができる。すると、カードホルダ１に収容されたカードＣは、その上面が各枠板３１，４１の突出端の間に形成された開口部から外部に露出するため、利用者はカードＣに記載された内容を視認することができる。
【００１５】
また、カードホルダ１（底板２）の長辺方向の両端には、当該カードホルダ１内にカードＣを挿抜するための挿抜用開口部がそれぞれ形成されている。ここで、カードホルダ１の長辺方向の一端側つまり図１（Ａ）の右側に位置する一方の挿抜用開口部を、「挿入用開口部」と称し、カードホルダ１の長辺方向の他端側つまり図１（Ａ）の左側に位置する他方の挿抜用開口部を、「抜出用開口部」と称することとする。
【００１６】
上記挿入用開口部には、板部材であり、当該底板２の短辺方向に延び、所定の幅を有する仕切り板５１，５２，５３が３枚設けられている。具体的に、仕切り板５１，５２，５３は、上記底板２と平行に配置され、底板２と各枠板３１，４１との間、つまり、カードホルダ１の高さ方向の空間を４つの空間に仕切るよう配置されている。この各空間から、カードＣを挿入することができる。なお、実際には、各仕切り板５１，５２，５３の形状は、挿入用開口部の開口端側の一端側が斜めに形成され、その幅が変化して形成されている。また、各仕切り板５１，５２，５３の幅は、底板２の長手方向の長さに対して１０分の１〜２０分の１程度であるため、当該各仕切り板５１，５２，５３は、挿入用開口部付近のみの空間を仕切るよう機能している。
【００１７】
そして、各仕切り板５１，５２，５３は、図１（Ｂ）に示すように、階段状に配置されている。具体的には、まず、底板２から上方に１段目（最下段）に位置する仕切り板５１は、底板２の一端（右端）から他端側（左端側）に離間しているが、当該一端側に最も近く配置されている。そして、２段目（中段）に位置する仕切り板５２は、一段目の仕切り板５１よりも底板２の一端から離れて配置されており、３段目（最上段）に位置する仕切り板５３は、２段目よりもさらに底板２の一端から離れて配置されている。このように、各仕切り板５１，５２，５３は、底板２から各枠板３１，４１側つまり上方に位置するにつれて、底板２の一端（挿入用開口部の開口端）から徐々に離間して他端側に位置するよう配置されている。
【００１８】
以上のように各仕切り板５１，５２，５３を配置することで、上段に位置するにつれて挿入用開口部の開口端側に位置する各仕切り板５１，５２，５３の端部が、徐々に底板２の長手方向の一端（右側）から離間して位置する。すると、図１（Ａ）に示すように上方から見ると、各仕切り板５１，５２，５３の位置を認識することができる。また、図２（Ｂ）に示すように、底板２を取り除いてカードホルダ１を下から見ると、挿入用開口部の開口端とは反対側に位置する各仕切り板５１，５２，５３の端部（左側端部）も、上段に位置するにつれて徐々に底板２の一端から離間して位置する。
【００１９】
なお、上記では、各仕切り板５１，５２，５３の位置が異なるよう配置されていることを説明したが、挿入用開口部の開口端側に位置する各仕切り板５１，５２，５３の端部のみが、上方に位置するにつれて徐々に底板２の一端から離間して位置するよう構成してもよい。
【００２０】
また、カードホルダ１の長辺方向の他端側つまり図１（Ａ）の左側に位置する抜出用開口部には、底板２から上方に向かって突出した突出壁６が設けられている。この突出壁６は、図１（Ｂ）に示すように、底板２の他端側（左端側）に向かうにつれて段々と高くなる階段状に形成されている。具体的に、階段状の突出壁６は、各段に、底板２の反対側である一端側（右端側）に設けられた各仕切り板５１，５２，５３の各高さにそれぞれ対応する各平面を有して形成されている。そして、突出壁６の最上端（突出端）は、図３（Ａ）に示すように、各枠板３１，４１の位置まで達することなく、当該各枠板３１，４１との間に隙間を有している。この突出壁６と各枠板３１，４１との間の隙間によって抜出用開口部が形成されており、後述するように、この開口部からカードホルダ１に収容されたカードＣを抜き出すことができる。また、突出壁６の最上端の中央には、凹部６１が形成されている。
【００２１】
さらに、上述した底板２には、２つの貫通孔２１，２２が形成されている。まず、１つ目の貫通孔２１（他の貫通孔）は、カードホルダ１の長辺方向の他端側つまり突出壁６側に位置して形成されており、突出壁６の近辺に隣接して形成されている。そして、この貫通孔２１は、図２（Ａ）の底面図に示すように、略半円形状であり、人間の指が挿入可能な大きさに形成されている。
【００２２】
また、２つ目の貫通孔２２は、カードホルダ１の長辺方向の一端側つまり各仕切り板５１，５２，５３が形成されている側に位置して形成されている。具体的には、仕切り板５１，５２，５３の真下の位置よりも、カードホルダ１（底板２）の長辺方向の一端側（図１（Ａ）の右端側）とは反対側つまり他端側（図１（Ａ）の左側）に少しずれた位置に形成されている。そして、この貫通孔２２は、図２（Ａ）の底面図に示すように、略三角形状であり、人間の指が挿入可能な大きさに形成されている。
【００２３】
［動作］
次に、上記構成のカードホルダ１を利用者が利用するときの動作を、図４乃至図７を参照して説明する。なお、ここでは、カードホルダ１に収容するカードＣとして、表面に問題が記載され、裏面に回答が記載された暗記用カードを一例に挙げて説明する。
【００２４】
まず、カードＣは、図４（Ｂ）に示すように、カードホルダ１を構成する底板２と各側壁３，４と各枠板３１，４１との間に囲まれた空間に収容可能な大きさであり、略長方形状である。具体的に、カードＣの長辺の長さは、底板２の長辺よりも短く、例えば、上記突出壁６から各仕切り板５１，５２，５３が配置された箇所付近までの長さを有して形成されている。また、カードＣの短辺の長さは、底板２の短辺よりも短く、例えば、上記各側壁３，４の間の長さよりもやや短く形成されている。
【００２５】
そして、利用者は、カードホルダ１にカードＣを挿入する際には、図４（Ａ）の矢印Ｙ１に示すように、各仕切り板５１，５２，５３にて仕切られた任意の空間にカードＣを挿入する。例えば、図５（Ａ）の矢印Ｙ１に示すように、最上段の空間、つまり、仕切り板５３と各枠板３１，４１との間の空間にカードＣを挿入したとすると、当該カードＣは、図５（Ｂ）に示す最上段に位置する。同様に、各仕切り板５１，５２，５３にて仕切られた各空間の他のカードＣを挿入していく。
【００２６】
そして、上述したようにカードＣがカードホルダ１の挿入側開口部から挿入されると、カードＣの挿入端（図５（Ｂ）の左側）が突出壁６に突き当たり、カードＣの他端は各仕切り板５１，５２，５３上に載置された状態となる。特に、突出壁６が下端から上方に向かうにつれて階段状に形成されているため、各空間に挿入したカードＣの他端は、それぞれ各空間を仕切る各仕切り板５１，５２，５３上に載置されることとなる。
【００２７】
そして、各仕切り板５１，５２，５３にて仕切られた各空間に各カードＣを挿入して、カードホルダ１内にカードＣが収容されたときの様子を、図５（Ｂ）に示す。このように、複数のカードＣが順番に積層した状態で収容される。なお、ここでは、上段に位置する空間ほど、暗記が必要な度合いが高いカードＣを収容する空間として設定している。つまり、枠板３１，４１と仕切り板５３との間の最上段に位置する空間は、暗記が最も必要とされるカードＣを収容する空間であり、仕切り板５３と仕切り板５２との間に位置する空間は、その次に暗記が必要とされるカードＣを収容する空間である。同様に、仕切り板５２と仕切り板５１との間に位置する空間は、さらにその次に暗記が必要とされるカードＣを収容する空間であり、仕切り板５１と底板２との間に位置する空間は、暗記が必要とされる度合いが最も低いカードＣを収容する空間である。
【００２８】
そして、上述したようにカードホルダ１に複数枚のカードＣを収容した状態では、図４（Ｂ）に示すように、最上段の最上位に位置するカードＣの表面が、各枠板３１，４１間に形成された開口部から露出し、利用者がカードＣの表面に記載された内容を視認することができる。つまり、利用者は、最も暗記が必要とされる最上段の空間に収容されたカードＣのうち最上位に位置するカードＣの表面の問題を見ることができ、この問題に対する解答を暗記しているか確認することができる。
【００２９】
その後、利用者は、最上位のカードＣの表面の問題に対する自己の解答があっているかを確認すべく、当該カードＣをカードホルダ１から抜き出す。このとき、利用者は、図６（Ａ）の矢印Ｙ２に示すように、底板２の突出壁６側に形成された貫通孔２１に下方から指を挿入して、カードホルダ１内に収容されている全てのカードＣを上方に押し上げる。そして、利用者は、最上位に位置するカードＣを上方から指で押さえて、例えば、右手親指の爪先で押すか、左手の親指で上方から軽く押さえた摩擦力で、矢印Ｙ３に示す方向つまり突出壁６側にスライドさせる。すると、最上位に位置するカードＣは、図６（Ｂ）の矢印Ｙ４に示すように、突出壁６と各枠板３１，４１との間の抜出用開口部から外部に抜き出される。このとき、利用者は、突出壁６の上端に形成された凹部６１上からカードＣを押さえつけて矢印Ｙ４方向にスライドすることで、抜き出し操作が容易となる。あるいは、例えば、凹部６１に沿ってカードＣを左親指爪先で押して、矢印Ｙ４の逆方向にスライドすることで、挿入口側（仕切り板配設側（図６（Ｂ）の右側））からカードＣを抜き出すことも可能である。
【００３０】
その後、利用者は、抜き出したカードＣの裏面の解答を見て、自分の解答があっているかどうかを確認する。そして、自己の暗記度合いに応じて、そのカードＣをカードホルダ１に戻す。例えば、暗記が全くできておらず、最も暗記が必要と判断すれば、最上段の空間つまり各枠板３１，４１と仕切り板５３との間の空間に、カードＣを戻す。一方で、暗記する必要性が低いと考える場合には、上から２段目、３段目、４段目と、記憶の度合いに応じた段数の空間に、カードＣを戻す。そのときの動作を図７を参照して説明する。
【００３１】
まず、利用者は、図７（Ａ）の矢印Ｙ５に示すように、底板２の仕切り板５１，５２，５３配設側に形成された貫通孔２２に指を下方から挿入して、カードホルダ１内に収容されている全てのカードＣを上方に押し上げる。すると、各カードＣの仕切り板５１，５２，５３や底板２に載置された状態の端部は、当該各仕切り板５１，５２，５３や底板２から浮いた状態となる。つまり、各仕切り空間の一番下に位置するカードＣと仕切り板５１，５２，５３や底板２との間に隙間が生じる。そして、利用者は、この隙間に、図７（Ｂ）の矢印Ｙ６に示すように、カードＣを挿入する。例えば、上述したように最上段の空間にカードＣを挿入する場合には、当該空間の一番下に位置するカードＣと仕切り板５３との間に隙間が生じるため、この隙間に容易にカードＣを挿入することができる。すると、挿入した空間の一番下にカードＣが位置することとなる。
【００３２】
そして、上記のように最上位のカードＣを抜き出して各空間に戻した後には、抜き出したカードＣのすぐ下に位置する次のカードＣが、最上段の最上位に位置することとなる。従って、図４（Ｂ）に示すように、次のカードＣの表面の問題を利用者は視認することができ、暗記しているかどうかを確認することができる。
【００３３】
以上のように、本発明によると、利用者がカードＣを挿入する際には、挿入側開口部が仕切り板５１，５２，５３によって複数に仕切られているため、当該仕切られた各位置に容易にカードを挿入することができる。その結果、利用者は、並び順を考慮してカードＣをカードホルダ１に挿入することができ、カードＣの出現順や頻度を設定することができ、利用者の利便性の向上を図ることができる。つまり、暗記の必要性が高いと判断したカードＣを最上段に挿入することで、出現頻度が高まり、繰り返し暗記作業を行うことができる。
【００３４】
また、本発明のカードホルダ１では、特に、底板２に貫通孔２１，２２を形成しているため、当該貫通孔２１，２２から利用者が指でカードＣを押し上げたり、指で上下から挟んだりすることで、カードＣの挿抜操作が容易となる。
【００３５】
＜実施形態２＞
次に、本発明の第２の実施形態を説明する。本実施形態では、上述したカードホルダの概略を説明する。
【００３６】
本実施形態におけるカードホルダは、
四角形状の底板と、当該底板の一対の対向する各辺にそれぞれ立設する各側壁と、当該各側壁の上端から上記底板に対して平行にそれぞれ突出して上記各側壁付近に位置する上記底板の上方を覆う各枠板と、を備える。
そして、上記各側壁の両端側に、上記底板と上記各側壁と上記各枠板とによって囲まれた空間にカードを挿抜可能な挿抜用開口部をそれぞれ形成し、
一方の上記挿抜用開口部に、上記底板と上記各枠板との間を上記底板と平行に複数に仕切る仕切り板を備えた、
という構成を採る。
【００３７】
上記発明によると、まず、挿抜用開口部からカードを挿入することで、底板と側壁と枠板とに囲まれた空間にカードが収容される。このとき、各枠板は底板の上方のうち各側壁付近のみを覆っているため、底板の上方の中央付近は開口された状態にある。すると、底板上に配置されたカードの上面は、各枠板間に形成された開口部から露出した状態となり、利用者はカードの上面に記載された内容を視認することができる。そして、利用者は、挿抜用開口部からカードを抜き出すことで、続いてその下にあるカードの上面に記載された内容を視認することができる。
また、利用者がカードを戻すなど挿入する際には、挿抜用開口部が仕切り板によって複数に仕切られているため、当該仕切られた各位置に容易にカードを挿入することができる。その結果、利用者は並び順を考慮してカードをカードホルダに挿入することができ、カードの出現順や頻度を設定することができ、利用者の利便性の向上を図ることができる。
【００３８】
また、上記カードホルダでは、
上記仕切り板を複数備えると共に、上記一方の挿抜用開口部の開口端側に位置する上記各仕切り板の各端部は、当該各仕切り板自体が上記枠板側に位置するにつれて上記一方の挿抜用開口部が位置する側の上記底板の端部から徐々に離間して位置する、
という構成を採る。
【００３９】
また、上記カードホルダでは、上記底板に貫通孔を形成した、という構成を採る。このとき、特に、上記貫通孔を、上記仕切り板の真下の位置よりも上記一方の挿抜用開口部側とは反対側にずれた位置に形成した、という構成を採る。さらに、他方の上記挿抜用開口部に、上記底板から上方に向かって突出すると共にその突出端と上記各枠板との間に開口部が形成された突出壁を備え、上記底板の上記他方の挿抜用開口部付近に他の貫通孔を形成した、という構成を採る。そして、上記突出壁を、上記各仕切り板の各高さに対応した各平面を有し、上記他方の挿抜用開口部側に向かうにつれて段々と高くなる階段状に形成した、という構成を採る。
【００４０】
以上のように、各仕切り板を上方に位置するにつれて端部から離間するよう階段状に配置することで、当該各仕切り板にて仕切られた各位置にカードを挿入することが容易となる。また、底板に貫通孔を形成した場合には、当該貫通孔に指を挿入して下方から上方にカードを押し上げることで、各仕切り板にて仕切られた各位置に位置するカードの下部にカードを挿入することが容易となる。
【産業上の利用可能性】
【００４１】
本発明は、英単語などを暗記するための暗記用カードを暗記する際に使用するカードホルダとして利用することができ、産業上の利用可能性を有する。
【符号の説明】
【００４２】
１  カードホルダ
２  底板
３，４  側壁
６  突出壁
２１，２２  貫通孔
３１，４１  枠板
５１，５２，５３  仕切り板
６１  凹部
Ｃ  カード
【図１】
2011067959.tif 000003
【図２】
2011067959.tif 000004
【図３】
2011067959.tif 000005
【図４】
2011067959.tif 000006
【図５】
2011067959.tif 000007
【図６】
2011067959.tif 000008
【図７】
2011067959.tif 000009